(57)【要約】      （修正有）【課題】帽子着用後における頭髪の圧し潰れを容易に抑制し、髪型の乱れを容易に整えることが可能なヘアネットを提供する。【解決手段】頭部に係合できるサイズより大きな円筒型ネット１とし、当該円筒部の各開口端の全周に沿ってゴム製の輪３が具備される。【選択図】図２
0003201801.tif 000002
【実用新案登録請求の範囲】
【請求項１】
頭部に係合できるサイズより大きな円筒型ネットとし、当該円筒部の各開口端の全周に沿ってゴム製の輪が具備されたヘアネット。
【請求項２】
長方形型の生地に対して長手方向の両端部を縫合することで円筒型とし当該円筒型の開口部が頭部に係合できるサイズより大きく、当該円筒型の各開口端の全周に沿ってゴム紐を通し当該ゴム紐両先端部を結び付けた、若しくはゴム製の輪を具備したヘアネット。
【考案の詳細な説明】
【技術分野】
【０００１】本考案は、頭部に孔を有する円筒型（ドーナツ形状型）のヘアネットに関する。
【背景技術】
【０００２】家事を初めとし頭部を下げて行う作業や運動する際に前髪が目元付近に垂れ下がるために三角巾やヘアバンドなどが使用されており、装着時に頭部にフィットする構造となっている。
【先行技術文献】
【特許文献】
【０００３】
【特許文献１】特開２００４−２８５５４６号
【特許文献２】特許第４５３１１１９号
【特許文献３】実用新案登録第３１０５２７１号
【特許文献３】実開平０５−１３３０３号
【０００４】
【考案の概要】
【考案が解決しようとする課題】
【０００５】従来の三角巾やヘアバンドは頭部に装着した際に頭部形状にフィットするような構造となっており頭髪が圧し潰された髪型となるため、例え短時間であっても調髪した場合などは前記三角巾やヘアバンドの使用は避けられることが多い。また、ヘアバンドは伸縮性を具備させるためにゴムを利用したものが多く頭髪の圧し潰れが顕著であるばかりか頭部を常時圧迫しているために頭皮の発汗を促進し苦痛を感じさせることもある。具体的には、特開２００４−２８５５４６号には材質としてパンテイストッキング素材のナイロン、ポリエステルなどを用い、キャップ装着時に、ぴったりとしたかぶり心地で窮屈ではなく、長い髪の毛でもキャップ内に収納できるネット状の帽子を本体とし、本体にマジックテープ等を利用することで簡単な着脱方法とした三角巾などをカバーとして取り付けた調理用頭髪落下防止キャップが提案されている。【０００６】一方、圧し潰れを低減させるために頭髪接触面積を少なくできるヘアバンドが考えられるが、実開平０５−１３３０３号に提案されているように着用した際にヘアバンドがヘアや肌に均整にフィットさせる構造としているため、何ら課題を解決出来ていない。【０００７】この髪型の圧し潰れを抑制するため特許第４５３１１１９号には、開放した部分環状型の形態を有し、該開放部の間隔を変更しうる弾性を備える本体部であって、所定のピッチを有するコイル状の第１の頭髪保持部と、該第１の頭髪保持部の両端に設けた、前記開放部を形成する２つの頭部固定部を供える本体部、所定のピッチを有するコイル状の第２の頭髪保持部を有する円弧状の頭髪保持可動部、及び頭髪保持可動部を、本体部の各頭部固定部の上方に枢動可能に取り付ける本体接続部、を備え、本体部の頭部固定部を両側頭部に固定し、頭髪保持可動部を所望範囲で枢動させ、第１の頭髪保持部及び第２の頭髪保持部により、少なくとも前髪及び頭頂部付近における頭髪の帽子による圧し潰れを抑制するように、帽子着用前に装着して使用する帽子着用時の髪型保持具が提案されている。しかし、本発明は帽子着用後における頭髪の圧し潰れを容易に抑制し、帽子着用後の髪型の乱れを容易に整えることが可能な帽子着用時の髪型保持具に関するものであり室内での装着を想定したものでない。
【課題を解決するための手段】
【０００７】上記課題に鑑み、考案者は誠意工夫の結果、円筒状の生地の各開口部端を全周に沿って輪ゴムを縫合若しくは編み合せることにより、頭髪落下防止が可能であり長時間着装しても発汗を抑制でき、且つ、ヘアスタイルの崩れも抑制できるドーナツ型ネット（帽子）を見出した。
【考案の効果】
【０００８】本考案のドーナツ型ネットは、頭皮若しくは頭髪根本に直接接触する領域が狭く又ドーナツ部は十分な空間領域を有するため頭髪を圧し潰すことも少ない。更に、頭上部が開口しているためロングヘアーの場合には当該開口部から頭髪を出すことも可能となる。また、当該ドーナツネットは頭皮若しくは頭髪根本を強く押さえ付けなくとも具備された輪ゴムにより頭部から落下することもなく長時間着装しても苦痛を感じることはない。
【図面の簡単な説明】
【０００９】
【図１】ドーナツネットの構造を示す。
【図２】ドーナツネットを装着し頭髪を当該ネットに収納させた状態を示す。
【図３】ドーナツネットを装着しネット頭上開口部から頭髪を出した状態を示す。
【考案を実施するための形態】
【００１０】以下、本考案に係る実施の形態を図面により説明する。
【実施例】
【００１１】図１に本考案の一例を示す。図１左側に示すように、長方形の生地に対して長手方向側の両端部を縫合若しくは編み合せて円筒型形状にする。次に、右図に示すように当該円筒の各開口部端を全周に沿って輪ゴムを縫合若しくは編み合せることで完成する。この時に、前記輪ゴムを編み合せる前の円筒型開口部は装着する頭部より大きなサイズにする。具体的には、開口部サイズは頭部サイズより５ｃｍ以上２０ｃｍ以下、好ましくは頭部サイズより１０ｃｍ以上１５ｃｍ以下であり、円筒の高さは１０ｃｍ以上２０ｃｍ以下が好ましい。【００１２】使用する生地は毛糸、絹および化学繊維など利用することが可能であるが、好ましくは伸縮が容易な毛糸にて編み合せ、輪ゴムに関しては外力を加えない状態で頭部に係合できるサイズより小さく、又頭部に係合した際には痛みを感じない状態まで伸長出来るものを使用する。【００１３】前記長方形の生地でなくともドーナツ形状に切り抜いた生地若しくはドーナツ形状に編み込んだネットを２つ準備し、当該ドーナツ形状の外周部を縫い合わせ若しくは編み合せ、ドーナツ内周部の全周に沿って輪ゴムを縫合若しくは編み合せることでも完成する。同様に複数の矩形形状からなる生地を縫い合わせても良く特に生地形状は限定するものではない。毛糸の編み方としても特に限定しないがゴム編み、こま編み及び縄編みの１種又は２種以上を組み合わせることも可能である。【００１４】ドーナツネット装着時の頭上部に該当する開口部のゴム輪を通した場所若しくは近辺に帯状の紐を編み込むことで図４に示すように後頭部付近にリボンを作ることで単にヘアネットだけでなくファッション性も向上する。【００１５】
【産業上の利用可能性】
【００１６】本考案は、ドーナツネット開口部に輪ゴムを具備しているのでネックウォーマーやアイマスクとしても適用することが可能である。
【符号の説明】
【００１７】１  円筒型生地
２  縫合部若しくは編み合せ部
３  輪ゴム
４  リボン
【図１】
0003201801.tif 000003
【図２】
0003201801.tif 000004
【図３】
0003201801.tif 000005
【図４】
0003201801.tif 000006
【手続補正書】
【提出日】平成27年10月22日(2015.10.22)
【手続補正１】
【補正対象書類名】明細書
【補正対象項目名】全文
【補正方法】変更
【補正の内容】
【考案の詳細な説明】
【技術分野】
【０００１】本考案は、頭部に孔を有する円筒型（ドーナツ形状型）のヘアネットに関する。
【背景技術】
【０００２】家事を初めとし頭部を下げて行う作業や運動する際に前髪が目元付近に垂れ下がるために三角巾やヘアバンドなどが使用されており、装着時に頭部にフィットする構造となっている。
【先行技術文献】
【特許文献】
【０００３】
【特許文献１】特開２００４−２８５５４６号
【特許文献２】特許第４５３１１１９号
【特許文献３】実用新案登録第３１０５２７１号
【特許文献３】実開平０５−１３３０３号
【考案の概要】
【考案が解決しようとする課題】
【０００４】従来の三角巾やヘアバンドは頭部に装着した際に頭部形状にフィットするような構造となっており頭髪が圧し潰された髪型となるため、例え短時間であっても調髪した場合などは前記三角巾やヘアバンドの使用は避けられることが多い。また、ヘアバンドは伸縮性を具備させるためにゴムを利用したものが多く頭髪の圧し潰れが顕著であるばかりか頭部を常時圧迫しているために頭皮の発汗を促進し苦痛を感じさせることもある。具体的には、特開２００４−２８５５４６号には材質としてパンテイストッキング素材のナイロン、ポリエステルなどを用い、キャップ装着時に、ぴったりとしたかぶり心地で窮屈ではなく、長い髪の毛でもキャップ内に収納できるネット状の帽子を本体とし、本体にマジックテープ等を利用することで簡単な着脱方法とした三角巾などをカバーとして取り付けた調理用頭髪落下防止キャップが提案されている。【０００５】一方、圧し潰れを低減させるために頭髪接触面積を少なくできるヘアバンドが考えられるが、実開平０５−１３３０３号に提案されているように着用した際にヘアバンドがヘアや肌に均整にフィットさせる構造としているため、何ら課題を解決出来ていない。【０００６】この髪型の圧し潰れを抑制するため特許第４５３１１１９号には、開放した部分環状型の形態を有し、該開放部の間隔を変更しうる弾性を備える本体部であって、所定のピッチを有するコイル状の第１の頭髪保持部と、該第１の頭髪保持部の両端に設けた、前記開放部を形成する２つの頭部固定部を供える本体部、所定のピッチを有するコイル状の第２の頭髪保持部を有する円弧状の頭髪保持可動部、及び頭髪保持可動部を、本体部の各頭部固定部の上方に枢動可能に取り付ける本体接続部、を備え、本体部の頭部固定部を両側頭部に固定し、頭髪保持可動部を所望範囲で枢動させ、第１の頭髪保持部及び第２の頭髪保持部により、少なくとも前髪及び頭頂部付近における頭髪の帽子による圧し潰れを抑制するように、帽子着用前に装着して使用する帽子着用時の髪型保持具が提案されている。しかし、本発明は帽子着用後における頭髪の圧し潰れを容易に抑制し、帽子着用後の髪型の乱れを容易に整えることが可能な帽子着用時の髪型保持具に関するものであり室内での装着を想定したものでない。
【課題を解決するための手段】
【０００７】上記課題に鑑み、考案者は誠意工夫の結果、円筒状の生地の各開口部端を全周に沿って輪ゴムを縫合若しくは編み合せることにより、頭髪落下防止が可能であり長時間着装しても発汗を抑制でき、且つ、ヘアスタイルの崩れも抑制できるドーナツ型ネット（帽子）を見出した。
【考案の効果】
【０００８】本考案のドーナツ型ネットは、頭皮若しくは頭髪根本に直接接触する領域が狭く又ドーナツ部は十分な空間領域を有するため頭髪を圧し潰すことも少ない。更に、頭上部が開口しているためロングヘアーの場合には当該開口部から頭髪を出すことも可能となる。また、当該ドーナツネットは頭皮若しくは頭髪根本を強く押さえ付けなくとも具備された輪ゴムにより頭部から落下することもなく長時間着装しても苦痛を感じることはない。
【図面の簡単な説明】
【０００９】
【図１】ドーナツネットの構造を示す。
【図２】ドーナツネットを装着し頭髪を当該ネットに収納させた状態を示す。
【図３】ドーナツネットを装着しネット頭上開口部から頭髪を出した状態を示す。
【図４】ドーナツネット頭上開口部にリボンを具備させた状態を示す。
【考案を実施するための形態】
【００１０】以下、本考案に係る実施の形態を図面により説明する。
【実施例】
【００１１】図１に本考案の一例を示す。図１左側に示すように、長方形の生地に対して長手方向側の両端部を縫合若しくは編み合せて円筒型形状にする。次に、右図に示すように当該円筒の各開口部端を全周に沿って輪ゴムを縫合若しくは編み合せることで完成する。この時に、前記輪ゴムを編み合せる前の円筒型開口部は装着する頭部より大きなサイズにする。具体的には、開口部サイズは頭部サイズより５ｃｍ以上２０ｃｍ以下、好ましくは頭部サイズより１０ｃｍ以上１５ｃｍ以下であり、円筒の高さは１０ｃｍ以上２０ｃｍ以下が好ましい。【００１２】使用する生地は毛糸、絹および化学繊維など利用することが可能であるが、好ましくは伸縮が容易な毛糸にて編み合せ、輪ゴムに関しては外力を加えない状態で頭部に係合できるサイズより小さく、又頭部に係合した際には痛みを感じない状態まで伸長出来るものを使用する。【００１３】前記長方形の生地でなくともドーナツ形状に切り抜いた生地若しくはドーナツ形状に編み込んだネットを２つ準備し、当該ドーナツ形状の外周部を縫い合わせ若しくは編み合せ、ドーナツ内周部の全周に沿って輪ゴムを縫合若しくは編み合せることでも完成する。同様に複数の矩形形状からなる生地を縫い合わせても良く特に生地形状は限定するものではない。毛糸の編み方としても特に限定しないがゴム編み、こま編み及び縄編みの１種又は２種以上を組み合わせることも可能である。【００１４】本考案のドーナツネットを装着し頭髪を当該ネットに収納させた状態を図２に、ネット頭上開口部から頭髪を出した状態を図３に示す。更に、ドーナツネット装着時の頭上開口部のゴム輪を通した位置若しくは近辺に帯状の紐を編み込むことで図４に示すようにリボンを作ることもでき単にヘアネットだけでなくファッション性も向上する。
【産業上の利用可能性】
【００１５】本考案は、ドーナツネット開口部に輪ゴムを具備しているのでネックウォーマーやアイマスクとしても適用することが可能である。
【符号の説明】
【００１６】１  円筒型生地
２  縫合部若しくは編み合せ部
３  輪ゴム
４  リボン